(57)【要約】【課題】着信拒否のシステム上の変更を不要として着信メール一覧表示画面から簡単に迷惑メールの拒否設定を行うことを可能とする。【解決手段】迷惑メール受信後の受信メール一覧表示（受信ＢＯＸ）（ａ）やメール詳細画面から、機能メニュー一覧表示画面（ｂ）を呼び出し、機能メニュー内の「受信拒否設定」を選択する。すると、事業者サーバーのメール受信拒否設定サイトへ接続され（ｃ）、メール受信拒否設定サイトから受信拒否アドレス一覧の設定フォームが表示される（ｄ）。この時、一覧には受信ＢＯＸで選択した受信メールの送信元アドレスが追加されておりユーザは確認後登録ボタンを押下する。設定フォームはメール受信拒否設定サイトに送信され登録されるので、その後の当該送信元アドレスからのメールは当該ユーザに送信されない。【選択図】図２
2008203958.tif 000002
【特許請求の範囲】
【請求項１】
携帯端末のメール受信拒否設定方法であって、
受信メール表示を行い特定の受信メールを選択するステップと、受信メール表示状態で、メール受信拒否設定サイトに接続して受信拒否アドレスを入力する設定フォームを取得するステップと、前記設定フォームに前記特定の受信メールの送信元アドレスを前記受信拒否アドレスとして入力するステップと、前記設定フォームを前記メール受信拒否設定サイトに送信することによりメール受信拒否設定を行うステップと、を含むことを特徴とするメール受信拒否設定方法。
【請求項２】
前記設定フォームに入力する前記受信拒否アドレスは、前記受信メール表示状態で前記特定の受信メールの情報を解析して抽出した当該受信メールの送信元アドレスであることを特徴とする請求項１記載のメール受信拒否設定方法。
【請求項３】
前記受信拒否アドレスは、前記送信元アドレスのドメイン単位とすることを特徴とする請求項１又は２記載のメール受信拒否設定方法。
【請求項４】
メール受信拒否設定サイトに対しメール受信拒否設定を行う機能を有する携帯端末のプログラムであって、
コンピュータに、受信メール表示を行い特定の受信メールを選択する手順と、受信メール表示状態で、メール受信拒否設定サイトに接続して受信拒否アドレスを入力する設定フォームを取得する手順と、前記設定フォームに前記特定の受信メールの送信元アドレスを前記受信拒否アドレスとして入力する手順と、前記設定フォームを前記メール受信拒否設定サイトに送信することによりメール受信拒否設定を行う手順と、を実行させることを特徴とするプログラム。
【請求項５】
前記受信メール表示状態で前記特定の受信メールの情報を解析して前記設定フォームに入力する前記受信拒否アドレスとして前記受信メールの送信元アドレスを抽出する手順を実行させることを特徴とする請求項４記載のプログラム。
【請求項６】
前記受信拒否アドレスは、前記送信元アドレスのドメイン単位とすることを特徴とする請求項４又は５記載のプログラム。
【請求項７】
メール受信拒否設定サイトに接続し受信拒否アドレスを入力する設定フォームを取得し、前記受信拒否アドレスを入力してメール受信拒否設定サイトに送信することによりメール受信拒否設定を行う携帯端末において、受信メール表示状態で起動可能な機能に、前記受信メール表示中の受信メールを特定し、当該受信メールの送信元アドレスを前記受信拒否アドレスとして前記メール受信拒否設定を行う機能を有することを特徴とする携帯端末。
【請求項８】
前記受信メール表示から選択した受信メールの情報を解析して当該受信メールの情報から前記送信元アドレスを前記受信拒否アドレスとして抽出する機能を有することを特徴とする請求項７記載の携帯端末。
【請求項９】
前記受信拒否アドレスは、前記送信元アドレスのドメイン単位とすることを特徴とする請求項７又は８記載の携帯端末。
【発明の詳細な説明】
【技術分野】
【０００１】
本発明はメールの受信拒否設定に関し、特に携帯端末で迷惑メールの受信拒否を行うメール受信拒否設定方法、プログラム及び携帯端末に関する。
【背景技術】
【０００２】
携帯電話機への迷惑メールは、事業者の対策により１日間に届く件数は減ってきているが、それでもまだ、ユーザの元に数件の迷惑メールが届いている。
【０００３】
従来より迷惑メールの受信（着信）を拒否する拒否設定方法としては、迷惑メール受信後、一旦迷惑メール等の表示画面を閉じて、待受画面から携帯電話事業者のメールサーバー等（事業者サーバー）のメール受信拒否設定サイト（サポートサイト）へ接続し、更に複数の画面を経由して、サポートサイトから迷惑メールの送信元アドレス（受信拒否アドレス）を登録する設定フォームを取得し、受信拒否アドレスを入力した後、サポートサイトに送信して拒否設定を行っている。
【０００４】
また、受信メールアドレス一覧表示画面から携帯電話機の画面をほとんど変えることなく、配信拒否の登録をすることが出来る電子メール拒否システムとして、携帯電話機の受信メールアドレス一覧表示画面上で配信を拒否する送信元メールアドレスを選択可能とし、更に当該送信元メールアドレスを送信する送信画面を携帯電話機上で作成して表示し、メールサーバーに送信して登録するものが知られている（特許文献１参照）。
【特許文献１】特開２００３−３２３０８号公報
【発明の開示】
【発明が解決しようとする課題】
【０００５】
前述のように迷惑メールへの対策としては、従来システムの拒否設定方法でユーザが着信拒否設定を行うことにより解決できるが、自己の携帯電話は着信拒否設定が出来ないと思い込んでいるユーザがおり、また、着信拒否設定が可能であることを知っていても設定操作が面倒なため後回しにしたり、設定が難しそうとの理由で放置し、同じような迷惑メールが届くといったことが多いというのが実情である。
【０００６】
また、引用文献１に開示された電子メール配信拒否システムは、携帯電話機の受信メールアドレス一覧表示画面から画面をほとんど変えることなく、迷惑メールの送信元メールアドレスをメールサーバーに登録することが可能であるものの、送信元メールアドレスの送信が携帯電話機で独自に送信するものであるから、メールサーバー側等のシステム上の変更を必須とするものである。
【０００７】
（発明の目的）
本発明の目的は、着信拒否のシステム上の変更を不要として着信メール一覧表示画面から簡単に迷惑メールの拒否設定を行うことを可能とするメール受信拒否設定方法を提供することにある。
【０００８】
本発明の他の目的は、着信拒否のシステム上の変更を不要として着信メール一覧表示画面から簡単に迷惑メールの拒否設定を行うことを可能とするプログラムを提供することにある。
【０００９】
本発明の他の目的は、着信拒否のシステム上の変更を不要として着信メール一覧表示画面から簡単に迷惑メールの拒否設定を行うことを可能とするメール受信拒否設定機能を有する携帯端末を提供することにある。
【課題を解決するための手段】
【００１０】
本発明は、着信拒否設定を行うための事業者サーバー側等のシステム上を変更することなく、受信した迷惑メール等から簡単にメール受信拒否設定を行うことを可能とすることを特徴とする。
【００１１】
本発明のメール受信拒否設定方法は、携帯端末のメール受信拒否設定方法であって、受信メール表示を行い特定の受信メールを選択し、受信メール表示状態で、メール受信拒否設定サイトに接続して受信拒否アドレスを入力する設定フォームを取得し、取得した前記設定フォームに前記特定の受信メールの送信元アドレスを前記受信拒否アドレスとして入力し、前記受信拒否アドレスを入力した前記設定フォームを前記メール受信拒否設定サイトに送信することによりメール受信拒否設定を行うことを特徴とし、前記設定フォームに入力する前記受信拒否アドレスは、前記受信メール表示状態で前記特定の受信メールの情報を解析して抽出した前記受信メールの送信元アドレスであることを特徴とする。更に前記受信拒否アドレスは、前記送信元アドレスのドメイン単位とすることを特徴とする。
【００１２】
本発明のプログラムは、メール受信拒否設定サイトに対しメール受信拒否設定を行う携帯端末のプログラムであって、コンピュータに受信メール表示を行い特定の受信メールを選択する手順（例えば図４のステップＳ１１〜Ｓ１３）と、受信メール表示状態で、メール受信拒否設定サイトに接続して受信拒否アドレスを入力する設定フォームを取得する手順（例えば図４のステップＳ１４〜Ｓ１７）と、前記設定フォームに前記特定の受信メールの送信元アドレスを前記受信拒否アドレスとして入力する手順（例えば図４のステップＳ１８）と、前記設定フォームを前記メール受信拒否設定サイトに送信することによりメール受信拒否設定を行う手順（例えば図４のステップＳ１９）と、を実行させることを特徴とし、また、前記受信メール表示状態で前記特定の受信メールの情報を解析して前記設定フォームに入力する前記受信拒否アドレスとして前記受信メールの送信元アドレスを抽出する手順（例えば図４のステップＳ１６）を実行させることを特徴とする。更に、前記受信拒否アドレスは、前記送信元アドレスのドメイン単位とすることを特徴とする。
【００１３】
本発明の携帯端末は、メール受信拒否設定サイトに接続し受信拒否アドレスを入力する設定フォームを取得し前記受信拒否アドレスを入力してメール受信拒否設定サイトに送信することによりメール受信拒否設定を行う携帯端末において、受信メール表示状態で起動可能な機能に、前記受信メール表示中の受信メールを特定し、当該受信メールの送信元アドレスを前記受信拒否アドレスとして前記メール受信拒否設定を行う機能を有することを特徴とし、また、前記受信メール表示から選択した受信メールの情報を解析して当該受信メールの情報から前記送信元アドレスを前記受信拒否アドレスとして抽出する機能を有することを特徴とする。更に、前記受信拒否アドレスは、前記送信元アドレスのドメイン単位とすることを特徴とする。
【００１４】
（作用）
迷惑メール等の受信後、受信メール一覧表示（受信ＢＯＸ）（例えば図２の２１）やメール詳細画面等、受信メール表示から、機能メニュー一覧表示画面（例えば図２の２２）を呼び出し、機能メニュー内の受信拒否設定を選択する。すると、事業者サーバーのメール受信拒否設定サイトへ接続（例えば図２の２３）され、メール受信拒否設定サイトから受信拒否アドレス一覧の設定フォーム（例えば図２の２４）が受信され表示される。この時、既に一覧には受信ＢＯＸ（例えば図２の２１）で選択したメールの送信元アドレスが追加されており、ユーザは着信拒否したい送信元アドレスが間違いなく追加されていることを確認して画面下の登録ボタンを押下する。これにより着信拒否する送信元アドレスが追加された受信拒否アドレス一覧の設定フォームがメール受信拒否設定サイトに送信されて登録されるので、その後の当該送信元アドレスからのメールは当該ユーザに送信されない。以上により従来の煩わしく感じていた、メール受信拒否設定サイトの設定フォームまでの手順と、受信拒否アドレスを手操作で入力していた手間が省ける（図２参照）。
【発明の効果】
【００１５】
本発明によれば、携帯端末の受信メール一覧表示等、受信メール表示において設定フォームの取得、送信を行うように構成しているから、既存のメールサーバー側のシステム変更等を不要とし、携帯端末だけの改造で迷惑メール等を受信した後、受信メール表示から直ちに拒否設定行うことが可能であり、一度もメール機能から抜けることなく拒否設定操作を完了することが可能である。
【００１６】
つまり、従来の拒否設定操作では、迷惑メール受信後、メール一覧画面等の受信メール表示から送信元アドレスのコピー操作等を行い、迷惑メール等の表示状態を一旦閉じて待受画面に戻り、その後待受画面からブラウザを開始し、携帯電話事業者サーバーのメール受信拒否設定サイトへ接続し、複数の画面を経由して設定フォームを取得し、受信拒否アドレスを入力操作する等、１０回以上のキー操作回数によりメール受信拒否設定を行っていたが、本発明では極めて少ない３〜４回程度のキー操作回数で簡単に受信拒否アドレスの設定が可能である。
【００１７】
また、本発明の入力操作では選択した受信メールのヘッダ情報を解析してその送信元アドレスを抽出、記憶しておき、自動的に設定フォームに入力するように構成しているから、従来の手入力により受信拒否アドレスを登録していたユーザにとって誤入力を防止でき、携帯端末の使い勝手が格段に向上する。
【００１８】
また、受信を拒否したい送信元のメールアドレスが設定フォームによる拒否設定のページ表示時に既に入っているから新たな受信拒否アドレスを追加するのみで容易に拒否設定を行うことが可能である。
【００１９】
更に、受信拒否したいメールアドレスが複数ある場合、一覧画面等で選択後、一斉に受信拒否設定することも可能である。
【発明を実施するための最良の形態】
【００２０】
（発明の実施の形態１）
本発明の携帯端末とその迷惑メール等のメール受信拒否設定方法の一実施の形態を携帯電話機の例により以下説明する。
（構成の説明）
図１は本発明の一実施の形態を示す携帯電話機のブロック図である。  
本実施の形態の携帯電話機１は、全体の制御処理を行う制御部１１、無線通信を行うアンテナ２、アンテナ２を介する無線通信による音声やメール情報の送受信と、携帯電話事業者のメールサーバー等（事業者サーバー）のメール受信拒否設定サイトへのアクセスなどネットワークへの接続等の制御を行う送受信部１２、送受信情報、機能メニュー等を可視表示する表示部１３、ユーザにより操作されるキー操作部１４、携帯電話機１の動作プログラムを格納しているＲＯＭ１５、電話帳などのユーザデータを格納するＲＡＭ１６で構成されている。特に制御部１１は、携帯電話機として基地局との無線通信による発着信等の通信制御、通話制御、ネットワークを介する事業者サーバーのメール受信拒否設定サイトとの接続、設定フォーム（アドレスを入力する入力フォーム）の送受信、メールの送受信、送受信メールの一覧表示、各種機能メニューの表示と制御等の機能を有する。
【００２１】
一方、メール受信拒否設定サイトは事業者サーバー側等に設定されており受信拒否設定は携帯電話機１からのネットワーク接続により開始される。メール受信拒否設定サイトは接続してきた携帯電話機１からの要求により、当該接続時点で既に設定済みの迷惑メール等の送信元アドレスを設定フォームに入力して携帯電話機１に送信し、携帯電話機１から追加入力等、変更された設定フォームを受信し、該設定フォームに入力されているメールアドレスの情報に基づいて、メールサーバーが当該携帯電話機１宛のメールの送信の可否を判断し、ユーザへの迷惑メール等の送信を禁止するように構成されている。
【００２２】
（動作の説明）
本実施の形態の携帯端末とメール受信拒否設定方法のより具体的な動作を図面を参照して以下説明する。  
図２は本実施の形態の携帯電話機の表示画面を示す図であり、図３は携帯電話機の操作と事業者サーバー側とのやりとりの処理フローチャートを示す図である。図１〜３を参照して本実施の形態の動作例を説明する。
【００２３】
まず、図３に示すように事業者サーバーから迷惑メールを含む各種のメールが携帯電話機１に届くと、携帯電話機１では、制御部１１が受信メールをＲＡＭ１６の所定のメモリエリアへ格納し、ユーザのキー操作部１４の操作により表示部１３に受信メール一覧表示等を行うことが可能となる。
【００２４】
ユーザが携帯電話機１の受信メールの表示操作を行うと、携帯電話機１の表示部１３には図１（ａ）の受信メール一覧表示（受信ＢＯＸ）２１の画面が表示される。受信メール一覧表示２１の画面で、ユーザが迷惑メールとして直接選択（「選択」表示に対応するカーソルの上下操作により選択する等）し、又はメール本文等の内容詳細を表示して確認した後に迷惑メールとして選択し、その後、機能ボタンを押下（「機能」表示に対応する操作部を押下する等）して、図２（ｂ）の機能メニュー一覧表示２２を含む画面を表示させる（ステップＳ１）。
【００２５】
本実施の形態の機能メニュー一覧表示２２には返信［１］、転送［２］及びメール検索［３］等の機能に加えて受信拒否設定［４］の機能が設けられており、ユーザはキー操作部１４によるカーソルの上下操作により前記受信拒否設定［４］を選択し確定する受信拒否設定操作を行うことが可能である（ステップＳ２）。ここで受信拒否設定［４］の機能は、機能メニューにおいて特定の受信メールの選択時にのみ呼び出し可能に表示することができ、受信拒否設定操作により携帯電話機１を事業者サーバーのメール受信拒否設定サイトへ接続可能な機能である。
【００２６】
ユーザが携帯電話機１の受信拒否設定操作を完了する（ステップＳ２）と、携帯電話機１の制御部１１は選択された迷惑メール等の送信元アドレスを受信拒否アドレスとして自動的に抽出、記憶する受信拒否アドレス記憶処理を行い（ステップＳ３）、その後、制御部１１は事業者サーバーのメール受信拒否設定サイトのアドレスへの接続を示す図２（ｃ）の接続確認表示２３を含む画面表示を行い、ユーザが当該画面表示を確認し接続確認の操作（ＹＥＳ）を選択すると、制御部１１は、事業者サーバーのメール受信拒否設定サイトに接続し、該メール受信拒否設定サイトに対し受信拒否アドレスを入力する設定フォームの送信をリクエストし、同サイトから受信拒否アドレスの設定フォームのページを受信、取得する。
【００２７】
携帯電話機１の制御部１１は、受信拒否アドレスの設定フォームのページを取得すると、内部処理として、取得したページの内容を解析し、受信拒否アドレス記憶処理（ステップＳ２）で記憶した迷惑メールの送信元アドレスを受信拒否アドレスとして当該ページ内に書き込む受信拒否アドレス入力処理を行う（ステップＳ４）。
【００２８】
そして、制御部１１は迷惑メールの送信元アドレスを追加入力した図２（ｄ）に示す受信拒否アドレス一覧表示２４のページを表示する、受信拒否アドレス入力済み画面表示処理を行う（ステップＳ５）。
【００２９】
ユーザは受信拒否アドレス一覧表示２４のページにより受信拒否するアドレスが間違いない事を確認して登録ボタンを押下することにより、事業者サーバーの受信拒否設定サイトに迷惑メールの送信元アドレスを受信拒否アドレスとして登録する。
【００３０】
また、受信拒否したいメールアドレスが複数ある場合、図２（ａ）の受信メール一覧表示（受信ＢＯＸ）２１の一覧画面にて受信拒否を希望する全てのメールを選択し、同様の操作を行うことで複数の受信拒否の設定を行うことを可能に構成することができる。
【００３１】
（発明の他の実施の形態２）
図４は本発明の他の実施の形態を示す図である。本実施の形態は携帯電話機等の携帯端末に実装されるプログラムに関する。携帯電話機のブロック構成は図１と同様であり、メール受信拒否設定の処理をコンピュータプログラムにより実現する例により説明する。
【００３２】
本実施の形態では、制御部１１はＣＰＵ（中央処理装置）を備え、ＲＯＭ１５及びＲＡＭ１６とによりコンピュータを構成し、ＲＯＭ１５には図４に示す処理フローチャートを実現するプログラムが格納されており、制御部１１はＲＯＭ１５から当該プログラムを読み込み、読み込まれたプログラムにより制御され、キー操作部１４からの入力情報に基づいて送受信部１２、ＲＡＭ１６、表示部１３を制御して、以下のメール受信拒否設定の処理を実行する。以下、図１、２、４を参照して説明する。
【００３３】
携帯電話機１の待受状態において、ユーザがメール着信時の確認操作又はメール機能メニューの起動操作を行うと（ステップＳ１１）、制御部１１はＲＡＭ１６に記憶されている受信メールの情報を読み出し表示部１３に図２（ａ）に示す受信メール一覧表示２１を表示する（ステップＳ１２）。ユーザは受信メール一覧表示２１の画面で最新の受信メール又は一覧中の受信メールの送信元アドレスからのメール受信を拒否するため、当該受信メールの表示欄を選択し（ステップＳ１３）、受信メール一覧表示２１の画面で起動可能な機能メニューに対応する操作ボタンを押下すると（ステップＳ１４）、制御部１１は前記選択及び操作の情報により図２（ｂ）２２に示す複数の機能からなる機能メニューを表示し、上下カーソルキーによるユーザの何れかの機能の選択及び起動操作を待機する。
【００３４】
ユーザがメール受信拒否設定の操作を行うと（ステップＳ１５）、制御部１１は、選択された受信メールのヘッダ情報等を解析して、当該受信メールの送信元アドレスを抽出してＲＡＭ１６に記憶し、次に制御部１１は、予め携帯電話機１に登録されたメール受信拒否設定サイトのアドレスに接続するため図（ｃ）に示す確認画面を表示部１３に表示し、ユーザの確認操作（ＹＥＳ）を行うと、制御部１１は送受信部１２を制御してメール受信拒否設定サイトのアドレスに接続する。更にメール受信拒否設定サイトへの接続後、受信拒否設定用の設定フォームを要求し、取得した設定フォームに既に記憶している前記送信元アドレスを追加して図２（ｄ）に示す拒否アドレス一覧（図２（ｄ）は設定フォームの取得時に拒否アドレスが未設定の場合を示している）を表示部１３に表示する（ステップＳ１８）。ユーザが図２（ｄ）に示す拒否アドレス一覧の送信元アドレスを確認した後、登録操作を行うと（ステップＳ１９）、制御部１１は、設定フォームをメール受信拒否設定サイトに送信して拒否設定の登録を行う。つまり、事業者サーバーのメール受信拒否設定サイトは、設定フォームで送られた送信元アドレスの情報に基づいて当該送信元アドレスから携帯電話機１を宛先として送信されたメールを携帯電話機１に着信しないようにメールサーバーを制御する。
【００３５】
また、ステップＳ１４の機能メニューの起動後、ユーザが返信操作を行った場合（ステップＳ２０）は、例えば返信画面の表示（ステップＳ２１）以降の処理を実行し、また、メール検索操作を行った場合（ステップＳ２２）は、検索画面の表示（ステップＳ２３）以降の処理を実行する。
【００３６】
（発明の他の実施の形態３）
以上の実施の形態においては、メール受信拒否設定の態様として送信元アドレス全て（フルアドレス）を設定して個々の送信者からのメールを拒否する方法により説明したが、事業者サーバー側のメール受信拒否設定には送信元アドレスのドメインのみの指定によりメール受信又は受信拒否を可能とするサービスシステムとなっていることから、以上の実施の形態において、ドメイン単位でメール受信又は受信拒否設定ができるように構成することが可能である。本実施の形態３の場合、設定フォームに受信拒否アドレスをドメイン単位で入力可能に構成し、受信可能なドメイン単位でメール受信拒否を行うように構成する。
【００３７】
また、以上の実施の形態では、受信拒否設定を受信メール表示画面で選択した単一の受信メールからその送信元アドレスを抽出して、設定フォームに入力して受信拒否設定を行う例を示し、複数の受信メールに対しては、同様の操作を繰り返すことにより複数の受信拒否設定を行うことができることも説明したが、受信メール一覧表示において複数の受信メールの選択を可能とし、制御部１１がそれぞれのヘッダ情報を解析することにより、自動的に当該複数の受信メールからそれぞれの送信元アドレスを抽出して記憶し、設定フォームの受信時にそれぞれを入力する構成とすることで複数の受信拒否設定を一斉に行うことも可能である。
【００３８】
また、以上の実施の形態では、受信メールの解析による送信元アドレスの抽出、記憶処理を設定フォームの取得直前に実行する例（例えば図４のステップＳ１６）を示したが、この処理は受信メールの選択（例えば図４のステップＳ１３）以降、設定フォームへの入力時点（例えば図４のステップＳ１８）までに行われればよく、並列処理を含めて何れかの段階で行うように処理手順を変更することも可能である。
【図面の簡単な説明】
【００３９】
【図１】本発明の一実施の形態を示すブロック図である。
【図２】本実施の形態の携帯電話機の表示画面を示す図である。
【図３】携帯電話機の操作と事業者サーバーとのやりとりの処理フローチャートを示す図である。
【図４】本発明の他の実施の形態を示すブロック図である。
【符号の説明】
【００４０】
１  携帯電話機（携帯端末）
２  アンテナ
１１  制御部
１２  送受信部
１３  表示部
１４  キー操作部
１５  ＲＯＭ
１６  ＲＡＭ
２１  受信メール一覧表示（受信ＢＯＸ）
２２  機能メニュー一覧表示（機能メニュー）
２３  接続確認表示（ｉモード）
２４  受信拒否アドレス一覧表示（拒否設定）
【図１】
2008203958.tif 000003
【図２】
2008203958.tif 000004
【図３】
2008203958.tif 000005
【図４】
2008203958.tif 000006